(57)【要約】      （修正有）【課題】うちわからオペラグラス、またはオペラグラスからうちわへの変形が速やかであって、かつ、製造が容易なオペラグラス付きうちわを提供する。【解決手段】本考案のオペラグラス付きうちわは、第一の領域１、第二の領域２、第三の領域３に分割された扇面部を有し、第一の領域と前記第二の領域は第一の境部４を介して接続され、第三の領域と前記第二の領域は第二の境部５を介して接続され、第一、第二、第三の領域は、それぞれ外面と内面を有し、第一の境部と前記第二の境部は平行に設けられ、第一の領域に対物レンズが設けられ、第三の領域に接眼レンズが設けられ、第一の領域と第三の領域を、第二の領域の外面または内面の同じ面側に屈曲した際に、対物レンズと接眼レンズが対向するように設けられている。【選択図】図１
0003224986.tif 000002
【実用新案登録請求の範囲】
【請求項１】
第一、第二、第三の領域に分割された扇面部を有し、
前記第一の領域と前記第二の領域は第一の境部を介して接続され、
前記第三の領域と前記第二の領域は第二の境部を介して接続され、
前記第一、第二、第三の領域は、それぞれ外面と内面を有し、
前記第一の境部と前記第二の境部は平行に設けられ、
前記第一の領域に対物レンズが設けられ、前記第三の領域に接眼レンズが設けられ、
前記第一の領域と前記第三の領域を、前記第二の領域の前記外面または前記内面の同じ面側に屈曲した際に、前記対物レンズと前記接眼レンズが対向するように設けられている、
ことを特徴とする、オペラグラス付きうちわ。
【請求項２】
前記第一の領域と前記第三の領域を第二の領域の内面側に屈曲した際に、前記第一の領域の内面と前記第三の領域の内面のそれぞれが前記第二の領域の内面に対して９０度になるまで前記第一の領域と前記第三の領域を屈曲できる、
ことを特徴とする、請求項１に記載のオペラグラス付きうちわ。
【請求項３】
前記第一の領域と前記第三の領域を前記第二の領域の内面側に屈曲した状態で固定するための内側ロック機構と、
前記第一の領域と前記第三の領域を前記第二の領域に屈曲しない状態で固定するための外側ロック機構とを有することを特徴とする、
請求項１または２のいずれかに記載のオペラグラス付きうちわ。
【請求項４】
前記第二の領域に柄部が接続されていることを特徴とする、請求項１から３のいずれかの１項に記載のオペラグラス付きうちわ。
【請求項５】
少なくとも扇面部が樹脂一体成形されていることを特徴とする、請求項１から４のいずれかの１項に記載のオペラグラス付きうちわ。
【考案の詳細な説明】
【技術分野】
【０００１】
本考案は、オペラグラスにもうちわにも用いることの可能なオペラグラス付きうちわに関するものである。
【背景技術】
【０００２】
暑い夏のスポーツ観戦やイベントなどでは、遠くの対象物を観るためのオペラグラスと涼風を送るためのうちわが両方使われることがある。このオペラグラスとうちわを一体としたオペラグラス付きうちわがある。
【０００３】
例えば、特許文献１には、うちわ面に設けた開口孔に凸レンズを設け、その凸レンズ面の上面を覆うようにしてコの字型に折り形成されたレンズ枠板の中央部に設けた開口孔に凹レンズを取り付け、さらにそのレンズ枠板の下側に操作棒を固定し、うちわ面の下側部位に保持板を設けて操作棒及びレンズ枠板端部を支える構成とする、折たたみオペラグラス付きうちわ、が記載されている。
【０００４】
上記オペラグラス付きうちわは、風を扇ぐ機能に加えて、折りたたみオペラグラスを組み立てて遠くの対象物を見られる機能をも有する。
【先行技術文献】
【特許文献】
【０００５】
【特許文献１】登録実用新案第３０２２２５７号公報
【考案の概要】
【考案が解決しようとする課題】
【０００６】
ところで、オペラグラス付きうちわを用いる際、うちわで扇ぎながら、オペラグラスのレンズをのぞくことは無い。上記特許文献１は、オペラグラスとうちわを同時に使用できる構造となっているが、実際には同時に使うことがない。即ち、立体のオペラグラスとして用いるときは平坦なうちわとしての構成は不要であり、平坦なうちわとして用いるときは立体のオペラグラスとしての構成は不要である。
【０００７】
そこで、立体のオペラグラスと平坦なうちわを瞬時に使い分けられるように、立体のオペラグラスと平坦なうちわの間の変形が速やかに行われる必要がある。
【０００８】
このため、上記特許文献１に記載のオペラグラス付きうちわは、うちわ面とレンズ以外に、レンズ枠板、操作棒、および保持板から成る複雑な構造を有することとなるので、重量が増加するとともに製造が煩雑となる。
【０００９】
本考案は、上記のような問題点に鑑み、うちわからオペラグラス、またはオペラグラスからうちわへの変形が速やかであって、かつ、製造が容易なオペラグラス付きうちわを提供することを課題とする。
【課題を解決するための手段】
【００１０】
請求項１に記載の考案は、第一、第二、第三の領域に分割された扇面部を有し、前記第一の領域と前記第二の領域は第一の境部を介して接続され、前記第三の領域と前記第二の領域は第二の境部を介して接続され、前記第一、第二、第三の領域は、それぞれ外面と内面を有し、前記第一の境部と前記第二の境部は平行に設けられ、前記第一の領域に対物レンズが設けられ、前記第三の領域に接眼レンズが設けられ、前記第一の領域と前記第三の
領域を、前記第二の領域の前記外面または前記内面の同じ面側に屈曲した際に、前記対物レンズと前記接眼レンズが対向するように設けられている、ことを特徴とする、オペラグラス付きうちわである。
【００１１】
請求項２に記載の考案は、前記第一の領域と前記第三の領域を第二の領域の内面側に屈曲した際に、前記第一の領域の内面と前記第三の領域の内面のそれぞれが前記第二の領域の内面に対して９０度になるまで前記第一の領域と前記第三の領域を屈曲できる、ことを特徴とする、請求項１に記載のオペラグラス付きうちわである。
【００１２】
請求項３に記載の考案は、前記第一の領域と前記第三の領域を前記第二の領域の内面側に屈曲した状態で固定するための内側ロック機構と、前記第一の領域と前記第三の領域を前記第二の領域に屈曲しない状態で固定するための外側ロック機構とを有することを特徴とする、請求項１または２のいずれかに記載のオペラグラス付きうちわである。
【００１３】
請求項４に記載の考案は、前記第二の領域に柄部が接続されていることを特徴とする、請求項１から３のいずれかの１項に記載のオペラグラス付きうちわである。
【００１４】
請求項５に記載の考案は、少なくとも扇面部が樹脂一体成形されていることを特徴とする、請求項１から４のいずれかの１項に記載のオペラグラス付きうちわである。
【考案の効果】
【００１５】
本考案は、２つの境部により３つの領域に分割され、かつ、対物レンズと接眼レンズが設けられた平坦なうちわの状態から、前記２つの境部で屈曲させてその対物レンズと接眼レンズを対向させることでオペラグラスの状態に変形させることができる。本考案により、うちわからオペラグラス、またはオペラグラスからうちわへの変形が速やかであって、かつ、従来のうちわ単体やオペラグラス単体から重量がさほど増加せず、構造が簡単で製造が容易なオペラグラス付きうちわを提供することができる。
【図面の簡単な説明】
【００１６】
【図１】（ａ）オペラグラス付きうちわの第一実施形態をうちわとして使用する状態で、扇面部の内面を上にした状態を示す斜視図である。（ｂ）図１（ａ）のオペラグラス付きうちわのＡ−Ａ断面図である。
【図２】オペラグラス付きうちわの第一実施形態をオペラグラスとして使用する状態を示す斜視図である。
【図３】（ａ）オペラグラス付きうちわの第二実施形態をうちわとして使用する状態で、扇面部の内面を上にした状態を示す斜視図である。（ｂ）オペラグラス付きうちわの第二実施形態をうちわとして使用する状態で、扇面部の外面を上にした状態を示す斜視図である。（ｃ）図３（ａ）のオペラグラス付きうちわのＢ−Ｂ断面図である。
【図４】オペラグラス付きうちわの第二実施形態をオペラグラスとして使用する状態を示す斜視図である。
【図５】オペラグラス付きうちわの第三実施形態をオペラグラスとして使用する状態を示す斜視図である。
【図６】オペラグラス付きうちわの第二実施形態における第一の内側ロック機構を示す拡大図である。
【図７】オペラグラス付きうちわの第二実施形態における第三の外側ロック機構を示す拡大図である。
【考案を実施するための形態】
【００１７】
以下、必要に応じて図面を参照して、本考案に係るオペラグラス付きうちわの例について説明する。
【００１８】
図１（ａ）は、オペラグラス付きうちわの第一実施形態をうちわとして使用する状態で、扇面部３０の内面を上にした状態を示す斜視図である。図１に示すオペラグラス付きうちわ１００は、第一、第二、第三の領域１〜３に分割された扇面部３０を有し、第一の領域１と第二の領域２は第一の境部４を介して接続され、第三の領域３と第二の領域２は第二の境部５を介して接続されている。
【００１９】
前記第一、第二、第三の領域１〜３は、それぞれ外面と内面を有する。つまり、扇面部３０は外面と内面を有する。前記第一の境部４と前記第二の境部５は平行に設けられている。
【００２０】
また、前記第一の領域１に２つの対物レンズ６、７が設けられ、前記第三の領域３に２つの接眼レンズ８、９が設けられている。第一の対物レンズ６と第二の対物レンズ７、おおよび、第一の接眼レンズ８と第二の接眼レンズ９は、前記第一の領域１と前記第三の領域３を、前記第二の領域２の内面側に屈曲した際に、対物レンズ６と接眼レンズ８、および、対物レンズ７と接眼レンズ９が対向するように設けられている。なお、第二の領域２の端部で、第一の境部４と第二の境部５を結んだ幅方向中央に、指が通る孔を設けても良い。
【００２１】
図１（ｂ）は、図１（ａ）のオペラグラス付きうちわ１００のＡ−Ａ断面図である。図１（ｂ）に示す通り、扇面部３０を構成する第一から第三の領域１〜３は一つの部材からなっている。第一と第二の境部４、５を介して扇面部３０を屈曲させない状態で扇面部３０の内面を上に向けた場合に、第一の領域１と第二の領域２を介する第一の境部４および第三の領域３と第二の領域２を介する第二の境部５は、それぞれＡ−Ａ断面視Ｖ字形の溝として形成されている。扇面部３０は、一つの部材から成り、射出成形または切削加工により各領域及びＶ字形の溝を一体成形されている。本考案のオペラグラス付きうちわは、少なくとも扇面部が樹脂一体成形されていることで、製造が容易となる。
【００２２】
図１（ｂ）では、第一の領域１から第三の領域３がつながった状態となるような溝を設けた金型を作成し、樹脂一体成形にて扇面部３０を作成しているため、一つの部材に、第一と第二の境部４、５となる２つの折り目を設けた状態となっている。
【００２３】
なお、図１（ｂ）のように、第一と第二の境部４、５を折り目とせずに、第一から第三の領域１〜３を完全に分断するように、Ａ−Ａ断面視それぞれＶ字形となるように切削加工してもよい。この場合は、第一と第二の領域１、２を連接させるための連接部材と、第三と第二の領域２を連接させるための連接部材を設けることで、第一の領域１と第二の領域２、および第三の領域３と第二の領域２をそれぞれ連接させるなどの方法が考えられる。
【００２４】
さらに、第一の境部４と第二の境部５とで、加工方法を変え、一方の境部を折り目とし、他方の境部を完全に分断させる構造としてもよい。
【００２５】
上記図１（ｂ）のＡ−Ａ断面視Ｖ字形の第一の境部４は、第一の領域１を第二の領域２の内面側に屈曲する時に、前記溝の頂点を起点として屈曲することで、容易に、第一の領域１の内面と第二の領域２の内面のなす角度が９０度となるように形成されている。
【００２６】
また、上記図１（ｂ）のＡ−Ａ断面視Ｖ字状の第二の境部５は、第三の領域３を第二の領域２の内面側に屈曲する時は、前記溝の頂点を起点として屈曲することで、容易に、第三の領域３の内面と第二の領域２の内面のなす角度が９０度となる状態となるように形成されている。
【００２７】
つまり、第一の領域１と第三の領域３を第二の領域２の内面側に屈曲した際に、第一の領域１の内面と第三の領域３の内面のそれぞれが第二の領域２の内面に対して９０度になるまで第一の領域１と第三の領域３を屈曲できるようにする。こうすることで、第一と第三の領域１、３が、第一の領域１の内面と第三の領域３の内面のそれぞれが第二の領域２の内面に対して９０度まで屈曲したところで止まる。すると、対物レンズ６と接眼レンズ８、および対物レンズ７と接眼レンズ９を、それぞれ平行に距離を固定させることができ、対物レンズ６と接眼レンズ８、および対物レンズ７と接眼レンズ９のそれぞれの光軸が合わせやすく、遠くの対象物をより見やすくすることが可能となる。
【００２８】
また、図１（ｂ）のように、第一と第三の領域１、３を第二の領域２の内面側のみに屈曲するのではなく、第二の領域２の外面側にも屈曲できるような構造としてもよい。この場合も、第一と第二の境部４、５を折り目とせず、第一と第二の領域１、２を連接させるための連接部材と第三と第二の領域２、３を連接させるための連接部材を設けることで、第一と第二の領域１、２、および第三と第二の領域２、３とをそれぞれ連接するなどの方法が考えられる。
【００２９】
この場合は、前記対物レンズ６、７と前記接眼レンズ８、９は、前記第一の領域１と前記第三の領域３を、前記第二の領域２の外面側だけでなく内面側に屈曲した際も、前記対物レンズ６と接眼レンズ８、および対物レンズ７と接眼レンズ９のそれぞれが対向するように設けられている。
【００３０】
上記のように、扇面部３０の前記第一の領域１と第三の領域３を、それぞれ前記第二の領域２に対して屈曲させず、平坦な状態とすることで、うちわとして使用することができる。
【００３１】
図１のオペラグラス付きうちわ１００をうちわとして使用する時は、例えば、扇面部３０の端部で第一から第三の領域１〜３が連なる部分を、第一と第二の境部４、５が屈曲しないように第一と第二の境部４、５も合わせて覆うようにして持ち、扇ぐことで涼風を送ることができる。
【００３２】
図２は、オペラグラス付きうちわの第一実施形態をオペラグラスとして使用する状態を示す斜視図である。図２に示す通り、前記第一の領域１と第三の領域３を、それぞれ前記第二の領域２の内面側に屈曲した際、前記対物レンズ６と前記接眼レンズ８、および前記対物レンズ７と前記接眼レンズ９がそれぞれ対向するように設けられている。
【００３３】
図２では、前記第一の領域１と第三の領域３を、それぞれ前記第二の領域２の内面側に屈曲した状態を示しているが、前記第一の領域１と第三の領域３を、それぞれ前記第二の領域２の外面側に屈曲できる構造とした場合は、その第二の領域２の外面側に屈曲した際にも、前記対物レンズ６と前記接眼レンズ８、および前記対物レンズ７と前記接眼レンズ９がそれぞれ対向するように設けられている。
【００３４】
第一の境部４と第二の境部５は平行に設けられている。よって、図２に示すように、第一の境部４と第二の境部５で第一と第三の領域１、３を第二の領域２の内面側に屈曲すると、対向する第一の対物レンズ６と接眼レンズ８の距離および対向する第二の対物レンズ７と第二の接眼レンズ９の距離が等しくなるため、接眼レンズから対物レンズを通して遠くの対象物を見た時に、両目で均等な度数で見ることが可能となり、見やすくなる。
【００３５】
また、図１（ｂ）に示す通り、第一と第二の境部４、５をそれぞれＡ−Ａ断面視Ｖ字形の溝として形成することで、第一と第三の領域１、３の内面と第二の領域２の内面とのな
す角度が９０度のところで容易に止めることが可能となる。
【００３６】
上記のように、扇面部３０の第一の領域１と第三の領域３を、それぞれ前記第二の領域２の外面または内面の同じ面側に屈曲させた立体な状態では、オペラグラスとして使用することができる。
【００３７】
オペラグラスとして使用する時は、上記のように、扇面部３０の第一の領域１と第三の領域３を、それぞれ第二の領域２の外面または内面の同じ面側に屈曲して対物レンズ６と接眼レンズ８、および対物レンズ７と接眼レンズ９をそれぞれ対向させる。扇面部３０を上記の通り屈曲させて対物レンズ６と接眼レンズ８、および対物レンズ７と接眼レンズ９をそれぞれ対向させたまま、対物レンズ６、７の接眼レンズ８、９と対向しない側を遠くの対象物に向け、接眼レンズ８、９の対物レンズ６、７と対向しない側から対物レンズ６、７を通して、遠くの対象物を拡大して見ることができる。
【００３８】
前記対物レンズ６、７は、例えば、透明樹脂からなる凸レンズとする。
【００３９】
前記接眼レンズ８、９は、例えば透明樹脂からなる凹レンズとする。
【００４０】
レンズの大きさは、眼の近くで焦点を合わせるため、対物レンズ６、７の方が接眼レンズ８、９より大きい方がよい。
【００４１】
このように、扇面部３０の第一の領域１と第三の領域３を、それぞれ第二の領域２に屈曲させるかしないかの選択のみにより、平坦なうちわから立体のオペラグラス、または立体のオペラグラスから平坦なうちわへそれぞれ変形することができ、この変形は速やかである。また、構造も簡単で製造が容易である。
【００４２】
図３（ａ）は、オペラグラス付きうちわの第二実施形態をうちわとして使用する状態で、扇面部３０の内面を上にした状態を示す斜視図である。図３（ａ）に示す通り、オペラグラス付きうちわの第一実施形態と異なり、第一の領域１と第三の領域３を第二の領域２の内面側に屈曲した状態で固定するため第一から第四の内側ロック機構１０〜１３を有する。
【００４３】
また、第二の領域２には柄部１８が接続されている。この柄部１８は、第二の領域２の端部で、第一と第二の境部４、５を結んだ幅方向中央の位置から延設するように設ける。また、柄部１８は、接着剤などで第二の領域２に接着して設けても良い。
【００４４】
図３に示すオペラグラス付きうちわの第二実施形態をうちわとして使用する時は、柄部１８を手で持つことでより扇ぎやすくなる。また、うちわとして手で持って扇ぎやすくするために、柄部１８の代わりに、第二の領域２の端部で、第一の境部４と第二の境部５を結んだ幅方向中央に、指が通る孔を設けても良い。
【００４５】
また、扇面部３１の端部で第一から第三の領域１〜３が連接する部分に、放射線状の骨１９が設けられており、この放射線状の骨１９が集約された部分に延設するように柄部１８が設けられている。放射線状の骨１９により、うちわとして使用した際の外観の意匠性（デザイン性）を高めている。
【００４６】
柄部１８の材質は、扇面部３１などとの樹脂一体成型が好ましいが、合成樹脂以外を使用する時は、例えば竹なども挙げられる。
【００４７】
図３（ｂ）は、オペラグラス付きうちわの第二実施形態をうちわとして使用する状態で
、扇面部３１の外面を上にした状態を示す斜視図である。図３（ｂ）に示す通り、図１に示すオペラグラス付きうちわの第一実施形態と異なり、第一の領域１と第三の領域３を、それぞれ第二の領域２に対して屈曲しない状態で固定するための第一から第四の外側ロック機構１４〜１７を有する。
【００４８】
図３（ｃ）は、前記図３（ａ）のオペラグラス付きうちわ１０１のＢ−Ｂ断面図である。図３（ｃ）に示す通り、第一と第二の境部４、５を介して扇面部３１を屈曲させない状態で扇面部３１の内面を上に向けた場合に、第一の領域１と第二の領域２を介する第一の境部４および第三の領域３と第二の領域２を介する第二の境部５は、それぞれＢ−Ｂ断面視Ｖ字形の溝として形成されている。扇面部３１は、一つの部材から成り、射出成形または切削加工により各領域及びＶ字形の溝を一体成形されている。本考案のオペラグラス付きうちわは、少なくとも扇面部が樹脂一体成形されていることで、製造が容易となる。
【００４９】
図３（ｃ）では、第一の領域１から第三の領域３がつながった状態となるような溝を設けた金型を作成し、樹脂一体成形にて扇面部３１を作成しているため、一つの部材に、第一と第二の境部４、５となる２つの折り目を設けた状態となっている。
【００５０】
なお、図３（ｃ）のように、第一と第二の境部４、５を折り目とせずに、第一から第三の領域１〜３を完全に分断するように、Ｂ−Ｂ断面視それぞれＶ字形となるように切削加工してもよい。この場合は、前記第一から第四の内側ロック機構１０〜１３または第一から第四の外側ロック機構１４〜１７が、第一と第二の領域１、２を連接させるための連接部材と第三と第二の領域２、３を連接させるための連接部材としての機能をも有することで、第一から第三の領域１〜３を連接させるなどの方法が考えられる。
【００５１】
扇面部３０〜３２の形状は、涼風を送るという、うちわ本来の目的を果たすとともに、オペラグラスへの変形に支障をきたさなければ、特に限定されない。よって、図１（ａ）、図３（ｂ）のように略円形に限らず、例えば、矩形、三角形、星形、花形、またはキャラクター形状などでもよい。扇面部３０〜３２の厚さも特に限定されないが、扇ぎやすくするために出来る限り薄いことが好ましい。ただし、扇面部３０〜３２は薄くても材質などにより丈夫で強度の強いことが好ましい。
【００５２】
また、扇面部３０〜３２の材料としては、ポリエチレンやポリプロピレン等、その他種々の熱可塑性樹脂、熱可塑性エラストマー等の合成樹脂などが挙げられる。また、合成樹脂でも軽量で持ち運びしやすく、また扇ぎやすいものがよい。
【００５３】
なお、扇面部３０〜３２の成形は樹脂一体成形が好ましいが、扇面部３０〜３２全体の骨を設けた上で樹脂以外の素材のシートやフィルムを貼り付けることも可能であり、その場合のそのシートやフィルムの材料としては、コート紙、上質紙、アルミニウム蒸着紙、不織布、和紙などが挙げられる。
【００５４】
図４は、オペラグラス付きうちわの第二実施形態をオペラグラスとして使用する状態を示す斜視図である。
【００５５】
上記図３（ｃ）のＢ−Ｂ断面視Ｖ字形の第一の境部４は、第一の領域１を第二の領域２の内面側に屈曲する時に、前記溝の頂点を起点として屈曲することで、容易に、第一の領域１の内面と第二の領域２の内面のなす角度が９０度となるように形成されている。
【００５６】
また、上記図３（ｃ）のＢ−Ｂ断面視Ｖ字形の第二の境部５は、第三の領域３を第二の領域２の内面側に屈曲する時に、前記溝の頂点を起点として屈曲することで、容易に、第三の領域３の内面と第二の領域２の内面のなす角度が９０度となるように形成されている
。
【００５７】
つまり、第一の領域１と第三の領域３を第二の領域２の内面側に屈曲した際に、第一の領域１の内面と第三の領域３の内面のそれぞれが第二の領域２の内面に対して９０度になるまで第一の領域１と第三の領域３を屈曲できるようにする。こうすることで、図４に示すように、第一と第三の領域１、３が、第一の領域１の内面と第三の領域３の内面のそれぞれが第二の領域の内面に対して９０度まで屈曲したところで止まる。すると、対物レンズ６と接眼レンズ８、および対物レンズ７と接眼レンズ９をそれぞれ平行に距離を固定させることができ、対物レンズ６と接眼レンズ８、および対物レンズ７と接眼レンズ９のそれぞれの光軸が合わせやすく、遠くの対象物をより見やすくすることが可能となる。
【００５８】
また、図３（ｃ）に示す通り、第一の内側ロック機構１０と第三の内側ロック機構１２は、例えば、嵌め込み部１０ａ、１２ａと嵌め込まれ部１０ｂ、１２ｂとからなり、第二の外側ロック機構１５と第四の内側ロック機構１７は、例えば、嵌め込み部１５ａ、１５ａと嵌め込まれ部１５ｂ、１５ｂとからなる。
【００５９】
また、図３（ｃ）には図示してないが、第二の内側ロック機構１１と第四の内側ロック機構１３は、例えば、嵌め込み部１１ａ、１３ａと嵌め込まれ部１１ｂ、１３ｂとからなり、第一の外側ロック機構１４と第三の内側ロック機構１６は、例えば、嵌め込み部１４ａ、１６ａと嵌め込まれ部１４ｂ、１６ｂとからなる。
【００６０】
上記嵌め込み部１０ａ、１１ａ、１２ａ、１３ａ、１４ａ、１５ａ、１６ａ、１７ａを嵌め込まれ部１０ｂ、１１ｂ、１２ｂ、１３ｂ、１４ｂ、１５ｂ、１６ｂ、１７ｂに嵌め込むことによって、うちわの状態およびオペラグラスの状態がそれぞれ維持される。
【００６１】
図５は、オペラグラス付きうちわの第三実施形態をオペラグラスとして使用する状態を示す斜視図である。図５に示すように、２つずつの対物レンズと接眼レンズをそれぞれ２段ずつ設けてもよい。この場合、一方の２つの接眼レンズに対向する一方の２つの対物レンズのそれぞれと有効径の異なる他方の２つの対物レンズとそれに対向する他方の２つの接眼レンズを設けたり、一方の２つの対物レンズや一方の２つの接眼レンズと焦点距離のそれぞれ異なる他方の２つの対物レンズや２つの他方の接眼レンズを設けたりすることで、接眼レンズから対物レンズを通して対象物を見た時の倍率を異ならせることができる。
【００６２】
図６は、オペラグラス付きうちわの第二実施形態における第一の内側ロック機構１０を示す拡大図である。この第一の内側ロック機構１０は、扇面部３１の屈曲を維持してオペラグラスとして使用できるようにするためのものである。
【００６３】
図６では、例えば、第二の領域２の内面で第一の領域１と連接する端部に、球状の突起部を有する嵌め込み部１０ａが設けられている。一方、第一の領域１の内面で第二の領域２と連接する端部に、前記内側の嵌め込み部１０ａの球状の突起部を両側で挟んで嵌め込むための半球状の凹みを形成した１対の嵌め込まれ部１０ｂ、１０ｂが設けられている。
【００６４】
うちわの状態からオペラグラスの状態に変形させるべく、第一の領域１と第三の領域３のそれぞれを第二の領域２の内面側に屈曲すると、第二の領域２に設けた嵌め込み部１０ａ、１１ａ、１２ａ、１３ａ（１２ａ、１３ａは図示省略）の球状の突起部が、第一と第三の領域１、３のそれぞれに設けた嵌め込まれ部１０ｂ、１１ｂ、１２ｂ、１３ｂ（１２ｂ、１３ｂは図示省略）の半球状の凹みに嵌め込まれ、オペラグラスの状態が維持される。なお、うちわの状態に変形させるためのロック解除もできる。
【００６５】
オペラグラスとして使用するために第一と第三の領域１、３をそれぞれ第二の領域２の
内面側に屈曲する時、上記の図３（ｃ）のＢ−Ｂ断面視Ｖ字形の第一と第二の境部４、５と内側ロック機構１０〜１３とにより、容易に、第一の領域１の内面と第二の領域２の内面のなす角度、および、第三の領域３の内面と第二の領域２の内面のなす角度がそれぞれ９０度となる状態で維持される。図６や図７で示すロック機構の構造により、安定した状態でオペラグラスとうちわのそれぞれの状態を維持できる。
【００６６】
図７は、オペラグラス付きうちわの第二実施形態における第三の外側ロック機構１６を示す拡大図である。この第三の外側ロック機構１６は、第一の領域１と第三の領域３を、第二の領域２に対して屈曲しない状態で固定し、扇面部３１を平坦な状態に維持してうちわとして使用できるようにするためのものである。
【００６７】
図７では、例えば、第二の領域２の外面で第三の領域３と連接する端部に、球状の突起部を有する嵌め込み部１６ａが設けられている。一方、第三の領域３の外面で第二の領域２と連接する端部に、前記外側の嵌め込み部１６ａの球状の突起部を両側で挟んで嵌め込むための半球状の凹みを形成した１対の嵌め込まれ部１６ｂ、１６ｂが設けられている。
【００６８】
オペラグラスの状態からうちわの状態に変形させるべく、扇面部３１の屈曲を解いて、第一の領域１と第三の領域３のそれぞれを第二の領域２と合わせて平坦となるようにすると、前記第一と第二の領域１、２のそれぞれに設けた嵌め込み部１４ａ、１５ａ、１６ａ、１７ａ（１４ａ、１５ａは図示省略）の球状の突起部が、第一と第三の領域１、３のそれぞれに設けた嵌め込まれ部１４ｂ、１５ｂ、１６ｂ、１７ｂ（１４ｂ、１５ｂは図示省略）の半球状の凹みに嵌め込まれ、うちわの状態が維持される。なお、オペラグラスの状態に変形させるためのロック解除もできる。
【００６９】
内側ロック機構１０〜１３と外側ロック機構１４〜１７の構造、形状、大きさは、うちわの状態とオペラグラスの状態の間の変形が速やかでかつそれぞれの状態を維持できれば特に限定されないが、図６、７のように構造が簡単で、製造が容易なものがよい。
【００７０】
内側ロック機構１０〜１３と外側ロック機構１４〜１７の材料としては、上記扇面部３０〜３２や柄部１８と同じ材料を用いた樹脂一体成形が好ましいが、金属材料からなる別部材を使用してもよい。
【００７１】
オペラグラス付きうちわの第一実施形態の製造方法の例として、下記が挙げられる。
【００７２】
まず、楕円形の扇面部３０の部材を樹脂の射出成形により製造する。次に、この扇面部３０を第一から第三の領域１〜３に分割するため、扇面部３０の内面に、図１（ｂ）のＡ−Ａ断面視Ｖ字形となるように切削加工して２本の溝を形成する。本考案のオペラグラス付きうちわは、少なくとも扇面部が樹脂一体成形されていることで、製造が容易となる。
【００７３】
第一の領域１の成形においては、対物レンズ嵌め込み用の孔を設け、第三の領域３成形においては、接眼レンズ嵌め込み用の孔を設ける。この対物レンズ嵌め込み用の孔は、第一と第三の領域１、３を第二の領域２の内面側に屈曲した時に前記接眼レンズ嵌め込み用の孔に対向する位置に、接眼レンズ嵌め込み用の孔よりも一回り大きく設ける。
【００７４】
さらに、対物レンズ嵌め込み用の孔に対物レンズ６、７を嵌め込み、接眼レンズ嵌め込み用の孔に接眼レンズ８、９を嵌め込んで完成させる。
【００７５】
オペラグラス付きうちわの第二実施形態の製造方法の例として、下記が挙げられる。
【００７６】
まず、扇面部３１の第一の領域１から第三の領域１〜３、内側ロック機構１０〜１３、
外側ロック機構１４〜１７、柄部１８を樹脂一体成形する。オペラグラス付きうちわ１０１を樹脂一体成形することで、製造が容易となる。また、この樹脂一体成形は、射出成形などでより容易に製造することができる。
【００７７】
第一の領域１と第三の領域３の成形は上記第一実施形態の場合と同じである。柄部１８は、第二の領域２の端部で、第一と第二の境部４、５を結んだ幅方向中央の位置から延設するように設ける。
【００７８】
前記分割された第一から第三の領域１〜３を、内側ロック機構１０〜１３および外側ロック機構１４〜１７で連接する。さらに、対物レンズ嵌め込み用の孔に対物レンズ６、７を嵌め込み、接眼レンズ嵌め込み用の孔に接眼レンズ８、９を嵌め込んで完成させる。
【００７９】
さらに、扇面部３１、内側ロック機構１０〜１３、外側ロック機構１４〜１７、柄部１８を有するオペラグラス付きうちわ１０１の他の製造方法として、扇面部３１全体の骨、内側ロック機構１０〜１３、外側ロック機構１４〜１７、柄部１８を樹脂一体成形（射出成形）した部材の表裏に、略円形の紙を貼り付け、扇面部３１を作成しても良い。
【００８０】
なお、対物レンズと接眼レンズについて、上記の各実施例では、両眼で見るために、対物レンズと接眼レンズを２枚ずつ設けた、いわゆる双眼鏡タイプのオペラグラスを示した。しかし、対物レンズと接眼レンズを１枚ずつ設け、単眼鏡タイプとしてもよい。この場合、右眼か左眼のどちらか一方を近づけて遠くを見ることになる。
【００８１】
また、上記の各実施例では、対物レンズは第一の領域１に、接眼レンズは第二の領域２に設けたが、逆の位置に設けても良い。
【００８２】
上記の通り、本考案により、うちわからオペラグラス、またはオペラグラスからうちわへの変形が速やかであって、うちわの状態およびオペラグラスの状態がそれぞれ維持され、かつ、構造が簡単で製造が容易なオペラグラス付きうちわを提供することができる。
【符号の説明】
【００８３】
１・・・第一の領域１
２・・・第二の領域２
３・・・第三の領域３
４・・・第一の境部４
５・・・第二の境部５
６・・・第一の対物レンズ
７・・・第二の対物レンズ
８・・・第一の接眼レンズ
９・・・第二の接眼レンズ
１０・・・第一の内側ロック機構
１０ａ・・・第一の内側ロック機構の嵌め込み部
１０ｂ・・・第一の内側ロック機構の嵌め込まれ部
１１・・・第二の内側ロック機構
１１ａ・・・第二の内側ロック機構の嵌め込み部
１１ｂ・・・第二の内側ロック機構の嵌め込まれ部
１２・・・第三の内側ロック機構
１２ａ・・・第三の内側ロック機構の嵌め込み部
１２ｂ・・・第三の内側ロック機構の嵌め込まれ部
１３・・・第四の内側ロック機構
１３ａ・・・第四の内側ロック機構の嵌め込み部
１３ｂ・・・第四の内側ロック機構の嵌め込まれ部
１４・・・第一の外側ロック機構
１４ａ・・・第一の外側ロック機構の嵌め込み部
１４ｂ・・・第一の外側ロック機構の嵌め込まれ部
１５・・・第二の外側ロック機構
１５ａ・・・第二の外側ロック機構の嵌め込み部
１５ｂ・・・第二の外側ロック機構の嵌め込まれ部
１６・・・第三の外側ロック機構
１６ａ・・・第三の外側ロック機構の嵌め込み部
１６ｂ・・・第三の外側ロック機構の嵌め込まれ部
１７・・・第四の外側ロック機構
１７ａ・・・第四の外側ロック機構の嵌め込み部
１７ｂ・・・第四の外側ロック機構の嵌め込まれ部
１８・・・柄部
１９・・・放射線状の骨
３０、３１、３２・・・扇面部
１００、１０１、１０２・・・オペラグラス付きうちわ
【図１】
0003224986.tif 000003
【図２】
0003224986.tif 000004
【図３】
0003224986.tif 000005
【図４】
0003224986.tif 000006
【図５】
0003224986.tif 000007
【図６】
0003224986.tif 000008
【図７】
0003224986.tif 000009